(57)【要約】【課題】収納スペースを備えた受付カウンター構造を提供する。【解決手段】開口部３に設置される受付カウンター構造１０であって、室外側に向けて突出するように設置されるカウンター２０と、開口部に設けられる一対の縦枠３１，３２と上枠３３とからなる三方枠と該三方枠に嵌め込まれてカウンター上をスライド開閉可能である複数枚の引戸３４，３５とを有してなる窓ユニット３０と、カウンターの下方に設置される収納棚４０とを有してなる。収納棚は、室内側に開口する収納スペース４５ａ〜４５ｄを有し、その室外側は背板４４で閉止されている。カウンターの幅方向両端木口と窓ユニットの三方枠の幅方向外面は略面一に設けられる。【選択図】図２
2018027162.tif 000002
【特許請求の範囲】
【請求項１】
開口部に設置される受付カウンター構造であって、室外側に向けて突出するように設置されるカウンターと、開口部に設けられる一対の縦枠と上枠とからなる三方枠と該三方枠に嵌め込まれてカウンター上をスライド開閉可能である複数枚の引戸とを有してなる窓ユニットと、カウンターの下方に設置される収納棚とを有してなることを特徴とする受付カウンター構造。
【請求項２】
収納棚が有する収納空間の少なくとも一つが室内側に開口し、その室外側が背板で閉止されていることを特徴とする、請求項１記載の受付カウンター構造。
【請求項３】
カウンターの幅方向両端木口と窓ユニットの三方枠の幅方向外面とが略面一であることを特徴とする、請求項１または２記載のカウンター構造。
【発明の詳細な説明】
【技術分野】
【０００１】
本発明は、受付カウンター構造に関する。
【背景技術】
【０００２】
来訪者との応接用に設けられる受付カウンター構造としては、銀行や郵便局などに多く採用される上部開放型構造（特許文献１など）に加えて、カウンター上に開閉可能な窓を備えた受付窓を有するカウンター構造がある。後者の受付カウンター構造は、窓を閉止することにより執務室の内部が外部から遮蔽されるので、防犯に資すると共に、落ち着いた執務空間を確保することができる利点があり、且つ、窓を開放すれば来訪者との応接が可能になるので、来訪者数が比較的少ないと考えられるマンションや高齢者用施設の執務室（管理室）などに多く採用されている。
【先行技術文献】
【特許文献】
【０００３】
【特許文献１】実用新案登録第３１６８９００号公報
【発明の概要】
【発明が解決しようとする課題】
【０００４】
受付窓を有するカウンター構造にあっては、通常は窓を閉止しておき、来訪者があったときに窓を開放して担当者が応接するように使用されることが多く、その際に、来訪者に所定の用紙を渡して必要事項を記入してもらう必要が生ずる場合がある。従来は、当該用紙や筆記具などの事務用品を収納するための収納スペースがカウンター構造に備えられていなかった。しかしながら、上記したように、受付窓は通常は閉止されているため、これらの用紙や事務用品を室外側に突出するカウンターに常に置いたままにしておくことは好ましくない。また、場合によっては特定の来訪者や特定の来訪目的に応じて配布すべき書類などもあるので、これらを室内側に収容しておくための収納スペースが必要になるが、従来は、カウンター構造とは別の収納スペースを利用するしかなく、来訪者に対する応接や事務処理をスムーズに行えないという問題があった。
【０００５】
したがって、本発明が解決しようとする課題は、上記した従来技術における問題を解消し、収納スペースを備えた受付カウンター構造を提供することである。
【課題を解決するための手段】
【０００６】
この課題を解決するため、本願の請求項１に係る発明は、開口部に設置される受付カウンター構造であって、室外側に向けて突出するように設置されるカウンターと、開口部に設けられる一対の縦枠と上枠とからなる三方枠と該三方枠に嵌め込まれてカウンター上をスライド開閉可能である複数枚の引戸とを有してなる窓ユニットと、カウンターの下方に設置される収納棚とを有してなることを特徴とする。
【０００７】
本願の請求項２に係る発明は、請求項１記載の受付カウンター構造において、収納棚が有する収納空間の少なくとも一つが室内側に開口し、その室外側が背板で閉止されていることを特徴とする。
【０００８】
本願の請求項３に係る発明は、請求項１または２記載のカウンター構造において、カウンターの幅方向両端木口と窓ユニットの三方枠の幅方向外面とが略面一であることを特徴とする。
【発明の効果】
【０００９】
請求項１に係る発明によれば、受付カウンター構造に収納棚が設けられているので、その収納スペースに用紙や事務用品などを収納しておくことができ、来訪者に対する応接や事務処理を効率的に行うことができる効果がある。また、窓ユニットにおいて引戸は一対の縦枠と上枠とからなる三方枠に設置され、カウンターを下枠として兼用して引戸をスライド開閉可能に設けているので、下枠を省略することによるコストメリットが得られる。
【００１０】
請求項２に係る発明によれば、特定の来訪者や特定の来訪目的に応じて配布すべき書類などがある場合に、これを室内側にのみ開口する収納空間に収納しておくことができ、また、該収納空間の室外側は背板で閉止されているので、収納した書類などを室外の来訪者が無断で持ち去ることを防止することができる効果がある。
【００１１】
請求項３に係る発明によれば、カウンターの幅方向両端木口と窓ユニットの三方枠の幅方向外面とが略面一であるので、カウンターの上に窓ユニットを設置する際に、三方枠の位置決めが容易となる効果がある。
【図面の簡単な説明】
【００１２】
【図１】本発明の一実施形態（実施例１）による受付カウンター構造を室外側から見た正面図である。
【図２】この受付カウンター構造を室内側から見た正面図である。
【図３】図１Ａ−Ａ切断線による縦断面図である。
【図４】図１Ｂ−Ｂ切断線による収納棚部分の横断面図である。
【図５】本発明の他実施形態（実施例２）による受付カウンター構造を室外側から見た正面図である。
【図６】この受付カウンター構造を室内側から見た正面図である。
【図７】図５Ａ−Ａ切断線による縦断面図である。
【図８】図５Ｂ−Ｂ切断線による収納棚部分の横断面図である。
【発明を実施するための最良の形態】
【００１３】
本発明による受付カウンター構造について以下に実施例を挙げて説明する。
【実施例１】
【００１４】
図１は本発明の一実施形態（実施例１）による受付カウンター構造１０を室外側から見た正面図であり、図２はこの受付カウンター構造１０を室内側から見た正面図であり、図３は図１Ａ−Ａ切断線による縦断面図であり、図４は図１Ｂ−Ｂ切断線による収納棚部分の横断面図である。この受付カウンター構造１０は、床１上において壁２に形成された開口部３に設置され、より詳しくは、図示の例では、開口部３内において床１上に施工された躯体４の上に設置されている。
【００１５】
この受付カウンター構造１０は、カウンター２０と、窓ユニット３０と、収納棚４０とから構成されている。
【００１６】
カウンター２０は、開口部３の開口幅と略同一の幅寸法と、躯体４の室内側の面４ａから室外側の面４ｂを超えてさらに所定寸法室外側に突出する奥行寸法とを有する平面視略矩形状の板材であるが、前方突出端の両角部をＲ面に形成しても良い。
【００１７】
窓ユニット３０は、一対の縦枠３１，３２と上枠３３とで形成される三方枠（符号なし）と、この三方枠内にスライド開閉可能に設けられる２枚の引戸３４，３５とを有してなる。三方枠の幅寸法はカウンター２０の幅寸法と略同一であり、すなわち、受付カウンター構造１０が開口部３に施工された状態において、カウンター２０の幅方向両端木口と窓ユニット３０の三方枠の幅方向外面とが略面一である。カウンター２０は、窓ユニット３０の下枠を兼ねており、上枠３３に上吊りされた引戸３４，３５が、縦枠３１，３２間において、カウンター２０上をスライド移動することにより開閉可能とされている。
【００１８】
引戸３４は、一対の縦框３４ａ，３４ｂと一対の横框３４ｃ，３４ｄとで形成される枠体（符号なし）内にガラスなどの透光板３４ｅが嵌め込まれてなる。同様に、引戸３５は、一対の縦框３５ａ，３５ｂと一対の横框３５ｃ，３５ｄとで形成される枠体（符号なし）内にガラスなどの透光板３５ｅが嵌め込まれてなる。
【００１９】
縦框３４ａ，３５ａは、引戸３４，３５の閉止時（図１，図２）に縦枠３１，３２の内面に形成された凹溝（図示せず）に嵌入する框（戸先框）であり、その室内側および室外側の両面に引手３４ｆ，３５ｆが設けられている。縦框３４ｂ，３５ｂは、引戸閉止時に略密接状態で前後に重なり合う框（召し合わせ框）であり、この実施例では、引戸３４が室内側、引戸３５が室外側に配置されている。召し合わせ框３４ｂ，３５ｂの室内側にはシーソー錠３６が設けられており、その室内側からの操作により引戸３４，３５を閉止状態に維持ないしロック可能である。
【００２０】
収納棚４０はカウンター２０の下方に設けられる。収納棚４０はカウンター２０とは別体に構成されたものであっても良いが、図示のように、カウンター２０が収納棚４０の上板を兼ねるものとして構成されることが好ましい。また、収納棚４０はカウンター２０と同幅に形成されることが好ましい。すなわち、図示実施例による収納棚４０は、カウンター２０の幅方向両木口と面一に下方に垂直に突出する一対の側板４１，４２と、これら側板４１，４２の下端に連結されて略水平に延長する底板４３と、カウンター２０、側板４１，４２および底板４３に囲まれた空間（収納スペース４５）の室外側開口を閉止する背板４４とで構成されている。さらに、図示実施例では、カウンター２０と底板４３との間に連結されて垂直に延長する３枚の中仕切り板４６ａ〜４６ｃにより、４つに仕切られた収納スペース４５ａ〜４５ｄが形成されている。これらの収納スペース４５ａ〜４５ｄはいずれも室内側に開口している（図４）ので、室内側から各収納スペースに書類やカタログ、事務用品などを収納・保管し、これらを室内側から取り出して使用することができる。
【００２１】
受付カウンター構造１０を構成するカウンター２０、窓ユニット３０および収納棚４０ならびにこれらの構成部材の寸法は、開口部３に設置可能である限りにおいて任意に設定することができるが、一例を挙げれば、以下の通りである。
【００２２】
開口部３は、幅１６３２ｍｍ、高さ２０３３ｍｍである。躯体４は、幅１６３２ｍｍ、高さ７５０ｍｍである。カウンター２０は、幅１６３２ｍｍ、高さ（板厚）３０ｍｍ、奥行６００ｍｍである。窓ユニット３０は、幅１６３２ｍｍ、高さ１１３３ｍｍ、奥行１５５ｍｍであり、三方枠の各枠材３１〜３３の板厚はいずれも２５ｍｍである。収納棚４０は、幅１６３２ｍｍ、高さ１２０ｍｍ、奥行３３５ｍｍであり、側板４１，４２、底板４３、背板４４および中仕切り板４６ａ〜４６ｃの板厚はいずれも１５ｍｍである。また、４つに区画された収納スペース４５ａ〜４５ｄのうち両側の収納スペース４５ａおよび４５ｄの幅は２７８．５ｍｍであり、中央の収納スペース４５ｂおよび４５ｃの幅は５００ｍｍである。
【００２３】
このような寸法で各部材を構成すると、カウンター２０、窓ユニット３０および収納棚４０の後端（室内側）を揃えて受付カウンター構造１０としたときに、カウンター２０が窓ユニット３０より室外側に４４５ｍｍ突出するので、来訪者は該突出面を筆記台や物置台として有効に利用することができる。
【００２４】
収納棚４０は、床１から底板１３の下面までの寸法が７００〜８００ｍｍ、より好ましくは７５０ｍｍとなるように設置されることが好ましい。オフィス用のデスクは高さ７００ｍｍ以上のものが多く使用され、また、ＪＩＳ  Ｓ  １０３１：２００４による最大高さは７５０ｍｍであることから、このような設置高さとすることにより、受付カウンター構造１０の室内側にデスクを隣接させた場合であっても、室内側に開口する収納スペース４５ａ〜４５ｄに対する物の出し入れに支障を来すことがない。
【００２５】
なお、収納棚４０の収納スペース４５を４つに区画する中仕切り板４６ａ〜４６ｃは、両端の収納スペース４５ａ，４５ｄを幅２７８．５ｍｍ、中央の収納スペース４５ｂ，４５ｃを幅５００ｍｍとする位置に設けられている。各収納スペース４５ａ〜４５ｄの奥行は３２０ｍｍであるから、両端の収納スペース４５ａ，４５ｄはＡ４サイズの用紙（２１０ｍｍ×２９７ｍｍ）を収容しておくのに好適に使用することができる。
【００２６】
この受付カウンター構造１０の施工は、たとえば次のようにして行うことができる。すなわち、施工現場にて既に施工されている開口部３内において躯体４の上に収納棚４０（上面開放のもの）を載せてネジ固定し、その上にカウンター２０を載せてネジ固定し、さらにその上に窓ユニット３０の三方枠を載せて壁２に固定する。窓ユニット３０の三方枠はカウンター２０と同幅であるので、施工時における三方枠の位置決めが容易である。あらかじめ収納棚４０とカウンター２０とが一体に構成されたものを躯体４に載せて固定しても良い。
【実施例２】
【００２７】
図５は本発明の他実施形態（実施例２）による受付カウンター構造５０を室外側から見た正面図であり、図６はこの受付カウンター構造５０を室内側から見た正面図であり、図７は図５Ａ−Ａ切断線による縦断面図であり、図８は図５Ｂ−Ｂ切断線による収納棚部分の横断面図である。この受付カウンター構造５０は、多くの構成が実施例１の受付カウンター構造１０と同様であり、収納棚６０の構成において相違するにすぎないので、実施例１と同一の構成には同一の符号を付して、それらの説明を省略する。
【００２８】
この受付カウンター構造５０の収納棚６０は、カウンター２０、側板６１，６２および底板６３に囲まれた空間を、実施例１と同様に３枚の中仕切り板６４ａ〜６４ｃで幅方向に仕切ると共に、これにより仕切られた４つの空間を各々奥行方向において前後に２分割するように仕切る中仕切り板６５ａ〜６５ｄを配することにより、室内側に開口する４つの収納スペース６６ａ〜６６ｄと、室外側に開口する４つの収納スペース６７ａ〜６７ｄを形成している（図６）。
【００２９】
このように収納スペースを仕切ることにより、被収納物の種類や目的に応じて、執務室で使用する事務用品や、特定の来訪者や特定の来訪目的に応じて配布すべき書類などは、室内側に開口する４つの収納スペース６６ａ〜６６ｄに収納し、不特定の来訪者に渡しても問題のない書類や一般に配布するカタログなどは、室外側に開口する４つの収納スペース６７ａ〜６７ｄに収納するように、区別して収納スペースを利用することができる。
【００３０】
以上に実施例を挙げて本発明について詳述したが、本発明はこれらの実施例に限定されるものではなく、特許請求の範囲に規定された発明の範囲内において多種多様な変形・変更を加えて実施可能である。たとえば、図示実施例では窓ユニット３０に２枚の引戸３４，３５を用いているが、より多数枚（たとえば４枚）の引戸を用いても良い。また、収納棚４０，６０における収納スペースの仕切り方は任意であり、実施例１，２に示す以外の収納スペースを形成しても良い。
【符号の説明】
【００３１】
１  床
２  壁
３  開口部
４  躯体
１０  受付カウンター構造
２０  カウンター
３０  窓ユニット
３１，３２  縦枠
３３  上枠
３４，３５  引戸
３６  シーソー錠
４０  収納棚
４１，４２  側板
４３  底板
４４  背板
４５（４５ａ〜４５ｄ）  収納スペース
４６ａ〜４６ｃ  中仕切り板
５０  受付カウンター構造
６０  収納棚
６１，６２  側板
６３  底板
６４ａ〜６４ｃ  幅方向の中仕切り板
６５ａ〜６５ｄ  前後方向の中仕切り板
６６ａ〜６６ｄ  室内側に開口する収納スペース
６７ａ〜６７ｄ  室外側に開口する収納スペース
【図１】
2018027162.tif 000003
【図２】
2018027162.tif 000004
【図３】
2018027162.tif 000005
【図４】
2018027162.tif 000006
【図５】
2018027162.tif 000007
【図６】
2018027162.tif 000008
【図７】
2018027162.tif 000009
【図８】
2018027162.tif 000010